(57)【要約】【課題】  額縁や掛時計など対象物を装着保持する壁掛装置において、無理な姿勢で掛ける部分を覗いたり指で探らなくても容易に着脱でき、装着後傾き調整ができ、地震や触られるなど外部からの力で対象物が容易に動かないよう装着状態を保持できる壁掛装置。【解決手段】  穴や紐や嵌め合い構造がなく、水平面に対して傾斜している面が接触して機能する構造で、装着面に取り付けられる機能部品Ｉと、対象物の背面にある機能部品Ｏと、抜け留め機能の突起部分Ｌと、突起Ｌの先端を相手機能部品まで案内する部品Ｇと、対象物と装着面を略平行に保持するスペーサ機能部品Ｓと、で構成される壁掛装置。見なくても突起Ｌと案内部品Ｇを接触させれば相手部品の傾斜面まで導いてくれ、さらに斜面に沿って機能する最終位置に到達でき、外すときは傾斜に逆らって滑らせれば外せるので容易に着脱でき、装着状態で重量支持と抜け留めと装着保持機能がある壁掛装置。【選択図】      図１
0003107611.tif 000002
【実用新案登録請求の範囲】
【請求項１】
壁や柱などの装着面に置かれる額縁や掛時計など対象物を装着保持する壁掛装置において、前記対象物の背面にあり水平面に対して傾斜して形成されている面または複数の部分を有する機能部品Ｏと、部品Ｏの前記傾斜面と接触する面で部品Ｏを支持する支持面または複数の部分を有し前記装着面に取り付けられる機能部品Ｉと、相手部品と部品を取り付ける面との隙間に入り抜け留め機能をする突起部分Ｌと、で構成される壁掛装置。
【請求項２】
請求項１記載の壁掛装置に加えて、突起部分Ｌの先端をあてて突起部分Ｌを有する部品を相手部品の接触する傾斜面まで案内する機能の部品Ｇと、前記装着面に対象物を略平行に保持するためのスペーサ機能を有する部品Ｓと、の少なくとも一つが構成要素に含まれる壁掛装置。
【請求項３】
請求項１記載の構成部品となれ、前記装着面へ取り付けられるときに一箇所だけで固定される機能部品Ｉ。
【請求項４】
請求項１または３記載の機能部品Ｉの傾斜面と接触して支持される傾斜面または複数の部分が、背面に形成されている装着対象物の壁掛部品Ｏとして機能する形状部分。
【考案の詳細な説明】
【技術分野】
【０００１】
本考案は、壁や柱などの装着面に置かれる額縁や掛時計など対象物を装着保持する壁掛装置に関します。
【背景技術】
【０００２】
壁や柱などの装着面に対象物を装着する壁掛装置は、重量支持と抜け留め機能がある釘や木ネジ、先端が水平面より上方に向いた略Ｌ字や略Ｊ字状のフックなど略棒状突起物の壁掛機能部品Ｉを前記装着面に固定し、前記棒状突起物に対象物の背面に取り付けられた穴や紐など壁掛機能部品Ｏを掛けることにより装着保持されているのがほとんどです。
上記組み合わせでは装着対象物の重量を点接触で支持し、部品Ｉの頭や上方に向いた部分は部品Ｏの穴や紐の抜け留めとなっています。点接触は不安定で、装着時に対象物の位置や角度が決まらず、装着後に調整が必要です。また地震など外部の力で容易に動きます。特に紐や鎖はフレキシブルなために抜け留め部分からの着脱も容易ではありません。
壁掛装置を嵌め合い構造にして重量を支持しますと、一点支持とは違って位置や角度が決まりますが、壁掛装置自体がずれたり曲がって取り付けられた場合、部品Ｉを取り付け直すか調整の機構が必要となりますし、嵌め合い部分を見ないで装着するのは困難です。
いずれにしても接触部分を見ながらの装着と、調整が必要です。装着対象物の裏を覗き込みながら装着するという無理な姿勢は、身体の不自由な方や肩こりなどで首が回らないときなどはとても困難な作業ですし、通常高い位置に装着されるので無理な姿勢での作業は危険も伴います。
【０００３】
軽量な掛時計など簡易な取り付けのものはだるま穴が対象物の背面に形成されており、だるま穴（機能部品Ｏ）を、先端に頭のある釘やピンや木ネジ（機能部品Ｉ）に差し込んで壁や柱などに装着されます。装着方法は、装着対象物を持って二つの穴のうち頭の入る大きい直径の穴へ部品Ｉの頭を差し込み、挿入後前記対象物を下方へ下げると、上方にある直径の小さい方の穴で、抜け留め機能と重力に対して落下しないよう保持しています。
だるま穴は非常に安価な機能部品Ｏで対象物の装着位置も決まりますが、前面からその位置が見えないため、裏を覗かないで前記穴に部品Ｉの頭を入れるのは困難です。また、水平面に対する対象物の装着角度は、前面から見ながら装着後調整する必要があります。
【０００４】
額縁やボードなど多少重量があり落下しては困る装着対象物は、先端が水平面より上方に向いた略Ｌ字や略Ｊ字状のフックなどの壁掛部品Ｉを、釘やピンや木ネジで壁に取り付け、装着対象物に取り付けた紐や鎖などの機能部品Ｏを機能部品Ｉに掛けることにより、一点支持で装着されています。
見栄えなどから前面から見えない対象物の裏側で壁掛部品Ｉに掛ける装着方法が、額縁や展示品などの場合一般に行われています。壁掛部品Ｉは前面から見えない位置で装着面に固定されているか、展示会場などで装着対象物がよく入れ替えられる場合には設置されたカーテンレールなどから吊り下げられています。
粘着や吸着を利用して部品Ｉを壁面へ固定することは、固着強度がバラツキが大きく破壊しないとわからないため、落下して困る対象物にはほとんど採用されていません。
紐や鎖はフレキシブルなために装着対象物を両手で持って着脱することができません。紐や鎖を掛ける部分を指で持って見ながら着脱する必要があり、さらに装着後は対象物の傾きなど調整が必要になります。また地震や衝撃など力のかかる方向によっては動きやすく、展示会場では紐や鎖を取り付け位置の近くでさらに固定するなどしています。
【０００５】
壁掛機能部品Ｏに穴や紐を用いる一点支持方式の壁掛装置では、掛けただけでは位置や角度が決まらない、装着した後も位置や角度が動く可能性がある、など問題があります。嵌め合い構成の壁掛装置にすれば位置や角度が決まりますので、多くの特許があります。
[特許文献１]は、下辺の方が短い台形状に突き出した平板の端面三辺に溝がある金具Ｏと、同じ逆さ台形で前記溝と嵌合するよう取付面と平行に内側に薄板を折り曲げた金具Ｉと、二つの構成部品からなる壁掛装置で、重量は金具Ｉの傾斜していない下辺端面で支持される構成です。傾斜部分は薄板折り曲げ端部と溝との嵌め合い構造ですので、本考案の面接触とは異なります。
金具Ｉの上辺開口部両端の折り曲げ板端部と、金具Ｏの短い下辺溝とを嵌め合わせますので、見ないで合わせるのは困難で、しかも入口は片側しか嵌め合えず、下端まで来て溝と板厚の嵌め合いによる抜け留めと重量支持の機能になります。また、調整機構がないので金具Ｉと金具Ｏの取り付けが曲がると取り付け直す必要があります。
[特許文献２]は、幅が二種類あり二段の板状金具Ｉと、上端を折り返して金具Ｉの幅広部分を挟み、幅の狭い一段と嵌め合いになる切り欠きを設け、入口の下端が入れやすいように傾斜して切り欠かれている金具Ｏと、二つの構成部品からなる壁掛装置です。傾斜して切り欠かれた部分は接触しないので、傾斜面で接触する本考案とは異なります。
重量は金具Ｉ上端部の端面と金具Ｏの折り返し部分が接触して支持され、前後方向は金具Ｉのつばの部分が金具Ｏで挟まれ、抜け留めになります。二段薄板の金具Ｉを、金具Ｏにある切り欠きの入口部分を見ないで嵌め合わせるのは困難です。また、調整機構がないので、ＩとＯの取り付け位置や角度がずれると取り付け直す必要があります。
[特許文献３]は、板厚を段差として階段状に折り曲げた金具Ｍと、嵌め合わされる金具Ｆとの組み合わせで、前記段差と角穴縁部の接触部分で重量が支持される構造です。段差部分に傾斜があると前後に傾いて装着されてしまいますので、傾斜面の接触部で支持する本考案の構成とは異なります。
金具Ｆ上部の各穴に金具Ｍの一端を差し込むので、入口部分を見ないで嵌め合わせるのは困難です。また調整機構がないので、金具ＦとＭの取り付け位置や角度がずれると取り付け直す必要があります。
[特許文献４]は軸方向に離隔した２つの平行面のそれぞれに内嵌して、水平調整できる円弧状の接触面を有する共平面部材を備える壁掛装置です。内嵌とは一種の嵌め合いで、前述の紐や穴と違って取り付けることで位置や角度が決まりますが、曲がって取り付けられた場合調整が困難なため、調整機構を持ち、取り付け直しを無くした壁掛装置です。
嵌め合い構成の壁掛装置の場合、嵌める部分を見ないで合わせるのは困難です。また、外すときに少なくとも嵌合の上下距離分、装着対象物を持ってまっすぐ上方に持ち上げなければ外せません。本考案では傾斜面上に相手部品の一部が接触すれば機能する位置に導かれ、傾斜に逆らって滑らせれば外せます。壁掛部品の一方を一箇所止めで固定すれば、装着後の傾き調整も可能です。
【０００６】
特に複数個の壁掛装置で前記対象物を装着する場合、壁掛機能部品Ｉの装着面上の位置決めが重要な作業になります。後から調整ができない場合はなおさらです。対象物の方に機能部品Ｉと取り付けるピンを仮固定して、対象物を持って装着面へ直接押し込むことができる構造の壁掛装置があります。手で押し込むので保持強度は期待できませんが、こうすれば対象物装着後の調整は必要ありません。
[特許文献５]は、抜け留め突出縁部と落下しないよう突出縁部にピン軸支持用突部を設けてピンを仮固定します。[特許文献６]は、磁石と掛け爪を併用して画鋲を仮固定します。本考案では壁掛部品Ｉの取付穴にピンを仮設置して部品Ｏと部品Ｉを仮固定し、装着面上の最適位置に押し込むことも、傷をつけその位置にビス留めすることもできまし、装着後傾き調整することもできます。
【０００７】
本考案に関係すると考えられ参照した特許文献
【特許文献１】ドイツ特許公開ＤＥ３６３２８１９号：「Halterung,insbesondere Bilderhalterung」  逆さ台形状の突出平板の端面三辺中央に溝がある金具Ｏと、同じ逆さ台形状で前記溝と嵌合するよう取付面と平行に内側に薄板を折り曲げた金具Ｉと、二つの構成部品からなる壁掛装置
【特許文献２】フランス特許公開ＦＲ２４２２３６９号：「Dispositif de fixation pour miroirs, tableaux, ou analogues」  薄い二段の平板金具Ｉ、Ｕ字折り曲げ金具で切り欠き部に挿入しやすくするための開きテーパが下方にある金具Ｏ、の二つの構成部品からなる壁掛装置
【特許文献３】U.S.Pat.2,530,892号公報：「Picture hanger」  段形状に折り曲げた金具Ｍと、嵌合する貫通角穴の金具Ｆの二つの構成部品からなり、金具Ｍの一端を金具Ｆの角穴へ差し込んで壁掛として機能する絵ハンガーで、調整機能はない
【特許文献４】ＷＯ０１／０３４００１号公報：「壁掛装置」軸方向に離隔した２つの平行面のそれぞれに内嵌する調整できる円弧状の接触面を有する共平面部材を備える壁掛装置
【特許文献５】特開２０００−２７６０８５号公報：「吊り下げ部を備えた吊り下げ物の構造」  吊り下げ物の背面下方及び背方に開口する溝部と突出縁部を設け、押しピン頭部の一部を入れて支持し、さらにピン軸が下方に落下しないよう軸支持用突部を突出した構造
【特許文献６】特開平１０−１５１０６１号公報：「壁面装着具」  磁石と掛け爪を併用して壁面に貼付した金属画鋲状のピンに固定する壁面装着具
【考案の開示】
【考案が解決しようとする課題】
【０００８】
壁や柱などに装着される対象物の裏側で前面からは見えない位置にありながら、掛ける部分を覗いたり指で探らなくても前面から容易に着脱でき、装着後に前面から傾き調整ができ、装着状態では地震や触られるなど外部からの力で対象物が容易に動かないよう装着状態を保持できる壁掛装置が課題です。
以下の番号は解決手段や効果の確認の説明で使われる番号に対応しています。
1.) 掛ける部分を見たり触ったりしなくても、容易に対象物を着脱できる壁掛装置
2.) 対象物を装着した後、傾きの調整ができる
3.) 装着状態では前後左右の外部からの力で装着対象物が容易に動かない
【課題を解決するための手段】
【０００９】
本考案の傾斜面がある壁掛装置は、課題解決のために次のようにしています。
1.) 掛ける部分を見たり触ったりしなければ着脱することが困難な穴や紐や嵌め合い構造がなく、二つの機能部品が接触する傾斜面で重量を支持し、機能部品にある突起部分Ｌが抜け留め機能する構造です。
掛ける部分を見なくても容易に対象物を着脱できるためには、点よりも面積のある面が有利です。射的のとき、的は面積が大きい方が当てやすいもの。まして見ないで装着するとなると、点よりも面積はできるだけ大きい壁掛装置の構造の方が有利です。
面接触でも同じ面積の面と面を正確に位置合わせすることは点接触と同様で困難ですが、部品のどこかが他の面に接触しさへすれば正確な位置合わせとなる最終位置へ導いてくれれば、見ないで着脱することが容易になります。面が傾斜していれば、最終位置の方向を勘に頼ることなく知ることができ、すべり台のように重力が最終位置へ導いてくれます。
【００１０】
2.) 互いに接触する壁掛機能部品の一方を一点で取付面に固定すれば、固定した点を中心にして対象物を回転させることができ、傾きの調整ができます。
装着後調整するには面接触は点接触より不利です。しかし調整後の状態を保持するのは面接触の方が有利です。調整時に機能部品ＩとＯのみ接触させて、面接触となる機能部品ＳやＧは装着面から浮かせた状態で傾きの調整をし調整後装着面と接触させれば、容易に調整ができてその状態を保持できます。
【００１１】
3.) 装着面に平行な方向の力に対しては二つの機能部品ＯとＩの傾斜面が接触しており、外部からの力が増えると接触面に直角な方向の分力も増え、斜面に沿って移動しようとする力に対抗する摩擦抵抗力も増加するので容易には動きません。動いても斜面を乗り越えられなければ、重力で元に戻ってしまいます。前方へは抜け留めの突起部分Ｌが機能し、後方の部品Ｉの取付面は文字通り壁で動きません。
重力も含めて外部からかかる力に対して、点接触による支持の場合は接触部分を支点にして容易に動きます。重力荷重の方向と大きさが変化する地震のときの対象物の動き方を想像していただけば、点支持の不安定さがわかります。面接触の場合は支持する点が多数あると考えれば、面積の範囲内でかかる力を受け止めますので容易には動きません。単位面積あたりの荷重量も少なくなり面積が広い方が部品の強度面からも有利です。
外部からの力に直角の面は前述の通りですが、傾斜面は少し異なります。傾斜すると外部からの力に対して直角な面積が減少するだけでなく、傾斜面に沿って動くことになりますので摩擦力が動きを阻止する抵抗力になり、角度や接触面の摩擦係数など別の要素の影響も受けます。しかし面積が大きい方が有利なことに変わりはなく、外部からの力が大きくなれば傾斜面に垂直な方向の抗力も大きくなり、摩擦抵抗力も大きくなります。
重力を除いて、地震や触られるなど外部からの力の方向と大きさは確定できませんので、一般的には重力に対する装着状態の保持能力（耐荷重量）で壁掛装置は評価されますが、耐荷重量は、壁掛部品の破壊強度より部品取付面への取付手段で決まります。
【００１２】
課題3.) の外部からの力で容易に動かないことと、課題2.) の容易に傾きの調整ができることは矛盾した課題です。面接触は嵌合と同様に、調整機構がなければ調整は困難です。しかし面接触部分でなく他の部分に調整機能があれば、解決できます。本考案では、機能部品ＩかＯのどちらかを取付面に一点で固定することにより、調整を可能にしています。調整後容易に動かないように、機能部品ＳやＧの面接触の摩擦力をも加えて利用します。
【００１３】
前述の課題を解決するために、請求項１は、額縁や掛時計など装着対象物の背面にあり水平面に対して傾斜して形成されている面を有する機能部品Ｏと、部品Ｏの傾斜面と接触して部品Ｏを支持する支持面を有し、床面に垂直な壁や柱などの装着面に取り付けられる機能部品Ｉと、部品Ｉと装着面か、部品Ｏと対象物背面との隙間に入り、抜け留め機能をする突起部分Ｌと、で構成される壁掛装置です。前記傾斜面や支持面は、複数の部分でも同じ機能をします。
一般的に壁掛装置は棒状突起物と紐や穴との組み合わせにより、対象物の重量を点接触で支持しています。点接触では荷重が一点に集中しますので、最大荷重に十分耐えられる接触部分と固定部分の強度が求められますが、面接触や多点接触では最大荷重が接触面積に分散されますので、高強度材料でなくても利用できます。
また、点接触では装着後も外部からの力に対して安定せず、接触部分を中心にして容易に動きますが、面接触では接触面積部分に大きな摩擦力があり、動かすためには前記摩擦力以上の力が必要で、対象物を安定保持します。
【００１４】
本考案の壁掛装置では壁掛機能の部品として棒状突起物と紐や穴との組み合わせを用いず、水平面に対して傾斜している面または傾斜面と接触する複数の部分が接触して対象物を支持し、突起部分Ｌによる抜け留めにより壁掛機能をさせています。部品Ｉは部品Ｏに形成されている面と接触して部品Ｏを支持し、対象物を支持する支持面を有しています。部品Ｉの支持面は、部品Ｏに形成されている面と接触したとき、対象物が落下しようとする方向の力を支持しています。
部品Ｉは部品Ｏに形成されている面または複数の部分と接触して部品Ｏを支持し、対象物を支持する支持面または複数の部分を有しています。部品Ｉの支持面は、部品Ｏに形成されている面または複数の部分と接触したとき、対象物が落下しようとする方向の力を支持しています。
【００１５】
対象物の重量を傾斜面で支持する場合、接触面積や接触圧力や角度など支持機能に関係する要因が複雑になりますが、一方で装着は傾斜面上のどこかにあたれば機能する位置に導かれ、傾斜に逆らって滑らせれば外せますので、壁掛機能部品の接触部分を見なくても対象物が容易に着脱できます。
また紐や鎖は対象物の背面に取り付けられ、重心位置は厚みの中央部にあるので、上辺で対象物を吊り下げた場合、対象物は傾いて下辺が装着面と接触し上辺が装着面から離れることを体験されると思います。この現象は対象物の重心が吊り下げ部真下にこようとする分力があるために起こり、逆に接触位置を決めれば傾斜角度が決まりますので、この方向と大きさの力を支持できる傾斜面を持つ壁掛機能部品Ｉと組み合わせれば、対象物を面で装着保持できることになります。
対象物と部品Ｏとの傾斜面角度設定で重力加重の支持と抜け留め機能をさせられますが、正確な角度でないと接触面に均一に荷重がかからず、浮きや部分的圧力差など不安定要因ができます。安定した装着保持のためには、着脱の妨げにならない抜け留め補助機構を設けることが有効です。
【００１６】
抜け留め機能の突起部分Ｌは、取り付けた状態で部品Ｉの最上端か部品Ｏの最下端にあり、相手部品と部品取付面との隙間に入り抜け留め機能をします。水平面に対して直角が望ましい角度ですが、少なくとも機能部品にある傾斜面より水平面に対して大きい角度であることが必要です。装着状態では突起部分Ｌの上下左右の端面部がどこにも接触しないようにすることで、嵌合とは異なり装着が容易になります。
この突起部分Ｌは前後方向となる厚み方向だけに接触して抜け留めになります。機能部品の最先端にあるので、装着時にＬ部分の先端が相手部品の傾斜面上に接触しても接触部分の面積が小さいので小さな摺動抵抗で傾斜面に沿って動かせます。
抜け留めの突起部分Ｌが機能する位置は、傾斜面に沿って滑り落ちた最終位置なので、位置を合わせて嵌入する必要がなく、また外すときも対象物上部が装着面から離れるよう斜め前方へ少し持ち上げれば斜面に乗り、傾斜に逆らって滑らせて外せますので、先端に突出しているにもかかわらず着脱の妨げになりません。
装着面から対象物の重心位置が離れていても、高さ寸法が短く装着状態で突き出た形状の対象物でも、突起部分Ｌがあれば機能部品の傾斜角度が小さくても対象物を抜け留め保持し、かつ着脱は容易にできます。
【００１７】
請求項２は、請求項１に記載された構成の壁掛装置に、前記突起部分Ｌの先端をあて、突起部分Ｌを有する機能部品を相手部品の接触する傾斜面まで案内する機能の部品Ｇと、壁や柱などの装着面と額縁や掛時計など対象物を略平行に保持するスペーサ機能を有する部品Ｓと、の両方か、少なくとも一つが構成要素に含まれる壁掛装置です。
前記案内機能部品Ｇは、突起部分Ｌを接触させる表面がハードな面と部品取付面に取り付ける面を有する略Ｌ字状の板材か、前記二面を有する角材かで、突起部分Ｌが接触する一面は、接触摺動しても変形しない表面硬度が必要です。Ｌ字形状でなく取り付ける面に平行な面がある略四角形状であれば、スペーサ機能部品Ｓと同じく、面接触している部分の摩擦力で対象物を装着位置から動きにくくする安定保持機能があります。
部品Ｇは部分Ｌを有している機能部品に対向する取付面に貼り付けなどで固定されます。機能部品が有する面は水平面に対して傾斜しているので、部品Ｇも同じ傾斜角度で面と面が連続しているのが望ましいのですが、部分Ｌが部品Ｇから相手機能部品の傾斜面へ移れれば、不連続でも機能します。機能部品の傾斜面が長く伸ばせれば必要ありません。
部品Ｇは機能部品ＩかＯの傾斜面が接触部分以上に伸びていれば必要ありませんが、別の部品とすることにより、1.) 機能部品ＩやＯと別の材質が使える、2.) 対象物に合わせて変更するのは部品Ｇでよく、部品ＩやＯは標準化できる、3.) 部品Ｓと共通部品にすることができる、など多くのメリットがあります。
【００１８】
装着面になるべく平行に対象物を保持するには、対象物背面と装着面との間に部品Ｉと部品Ｏを組み合わせた厚さがあるスペーサ機能部品Ｓか、前記部品Ｇを用いることです。
部品ＳやＧには装着面を押し付ける力が働き、重力方向の荷重は前記傾斜接触部分が受け持ちますので、取付面への固着力が小さくても外れ落ちることはありませんが、対象物の下辺部を触られるなど予期しない衝撃荷重がかかる可能性を考えると、部品Ｓは装着面か対象物背面のどちらかに強固に接着することがさらに安定保持させる望ましい手段です。
前記スペーサ機能部品Ｓは、スペーサ機能だけでなく、面接触している部分の摩擦力で対象物を装着位置から動きにくくし、地震や触られるなど、外部からの力に対しても動きにくくする安定保持機能があります。部品Ｓの面積は広いほど摩擦抵抗力が大きくなります。広い方が望ましいのですが、真中に一つより両端に二つの方が同じ面積でも安定します。吸着や粘着との併用や、スポンジのような変形しやすい材質を使うことは有効です。
【００１９】
請求項３では、壁や柱などの装着面に取り付けられる壁掛機能部品Ｉは、前記装着面に一箇所だけの固定で取り付けられます。これにより固定点を中心に対象物を回転させることができますので、装着後に対象物を見ながら前面から水平調整ができます。
請求項４は、対象物の背面に部品Ｏを取り付けるよりも樹脂成形などで形成された方が取り付け手段や取り付け工数が不要なので、部品Ｉの傾斜面と接触して支持される傾斜面または接触する複数の部分の装着対象物の背面に形成されている形状です。対象物の生産や検査工程での一時置きや対象物を簡易移動するときにも利用できます。
【考案の効果】
【００２０】
課題に対応した番号で、本考案による効果を説明します。
1.) 本考案の壁掛装置には穴や紐や嵌め合い構造がなく、装着は二つの機能部品ＩとＯの傾斜面を接触させることで行われ、接触する部分を見なくても傾斜面上のどこかにあたれば傾斜面が壁掛として機能する位置へ導いてくれますので装着が容易にでき、外すときも傾斜に逆らって斜面を滑らせれば外せ、傾斜面を利用することで見ないで着脱できます。
抜け留め機能の突起部分Ｌは、嵌め合い構造とは違って装着状態では上下左右面の端面で相手部品に接触しないので、見ながら嵌め合わせる必要はありません。機能部品ＩかＯの最先端にあるので、装着時には突起部分Ｌの先端が案内機能部品Ｇに接触すれば相手部品の傾斜面上に導かれ、接触する面積が小さいので摺動抵抗も小さく傾斜面に沿って機能する最終位置へ導かれます。
外すときは、突起部分Ｌの突出している分装着対象物を上方に持ち上げる必要がありますが、対象物上部が装着面から離れるよう斜め前方へ持ち上げれば、斜面の傾斜に逆らって滑らせて外せますので、本考案の傾斜面のある壁掛装置は、掛ける部分を見たり触ったりしなくても容易に対象物を着脱できます。
さらに請求項２で接触して壁掛機能する相手部品の傾斜面まで一方の機能部品を案内する部品Ｇを、機能部品ＩやＯと別部品にしました。材質や厚さや角度や形状などを装着対象物に合わせて自由に設定できるため、機能部品ＩやＯは標準品が利用でき、部品Ｓと共通部品にしたり、対象物背面に直接形成すればコストダウン効果があります。
【００２１】
2.) 壁掛機能部品の一方を一点で取付面に固定しますので、装着した後対象物を前面から見ながら動かして傾きの調整ができます。取り付け点が複数の場合でも、最初一点で取り付けて、調整した後対象物を一旦外して確定した位置で全点を固定することもできます。
請求項３では壁掛機能部品Ｉを装着面に一箇所だけの固定で取り付けます。これにより、装着面に傷を付けるとしても一箇所で済み、取り外したときの補修も簡単にできる効果もあります。
【００２２】
3.) 装着面に平行な方向は接触している傾斜面に沿った分力が摩擦抵抗力より大きい外部からの力がなければ動きませんし、傾斜面を乗り越える力がなければ、動いても元に戻ります。前方へは抜け留めの突起部分Ｌが機能して動けませんし、後方は壁で動けません。
上方へは装着対象物の重量以上の力で持ち上がりますが、まっすぐ持ち上げただけでは、力をとればまた元の位置に戻ります。一方向だけの力で装着対象物を動かすには、傾斜面の摩擦抵抗力以上の力を外部からかけねばならず、傾斜面は外部からの力で対象物を容易に動かさない効果があります。
スペーサ機能部品Ｓや案内機能部品Ｇは、装着面や対象物背面に固着されたり接触したりして、装着状態を保持する機能もあります。スペーサ機能部品Ｓは、特に地震や触られるなど予期しない外部からの力に対してより安定して装着状態を保持する効果があります。
【００２３】
その他) フックや掛け釘のような略棒状突起物がないので、機能部品Ｉが装着面に残っていても何かを外した後という印象を与えません。局部的な突起がないので、装着面に近い色や透明の樹脂で目立たなくすることもでき、装着対象物を外した後穴を埋めるといった気遣いをせず対象物を装着できます。また装着位置を若干変えたい場合、新しい壁掛部品のＧやＳと干渉しなければ不要な部品Ｉが装着面にあってもかまいません。
【考案を実施するための最良の形態】
【００２４】
[図１]・[図２]を見ながら本考案の壁掛装置構成を説明します。
[図１]は本考案の壁掛装置構成部品で対象物(Obj) を装着面(Wall)に装着する図です。
[図１−１]は対象物(Obj) 背面に付く壁掛装置構成部品を破線であらわし、装着面(Wall)に付く構成部品を実線であらわした、全構成部品配置の形態の一つを正面から見た図で、装着対象物(Obj) に取り付けられた機能部品Ｏを矢印の方向に移動させて、装着面(Wall)に取り付けられた壁掛部品Ｉと接触させて装着しようとしています。
また[図１−２]は[図１−１]の部品Ｏと部品Ｉをそれぞれセンタで切断した側断面図で、矢印は移動方向を示しています。
[図２]は[図１]の構成部品ＯとＩを説明用に抜き出した拡大図です。
[図２−１]は、二箇所に取り付けタブがある機能部品Ｏと、抜け留め機能の部分Ｌが上端にあり略中央部分一箇所で取り付けられる部品Ｉとを正面から見た装着するときの図で、OP1とIP1、OP2とIP2がそれぞれ接触して壁掛の支持機能をします。
また[図２−２]は[図２−１]の部品Ｏと部品Ｉをそれぞれ中央で取付面と水平面に直角に切断した側断面図です。
【００２５】
部品Ｏは樹脂材料ででき、部品Ｉと接触して支持される略Ｖ字形状をした傾斜面OP1,2 と、装着対象物(Obj) 背面に取り付けるために二つのタブがあり、木ネジで対象物(Obj) 背面上部へ傾斜面OP1,2 が下向きになるように固定されています。材質は衝撃荷重で破損しなければなんでもよいのですが、特殊な角度に加工しますので望ましいのは樹脂です。対象物背面にタブを固定する木ネジの引き抜き強度で部品Ｏの耐荷重量が決まります。
対象物(Obj) 背面に直接傾斜面OP1,2 が下向きに形成されていれば、取付タブと木ネジと取り付け作業が不要で、コストダウンになります。
部品Ｉも同じ樹脂材料ででき、図では略ひし形形状をしており、部品Ｏと接触して支持する傾斜面IP1,2 、最上部になるよう取り付けられ部品Ｏと対象物(Obj) との隙間に入る抜け留め機能部分Ｌ、装着面への固定手段用として一つの貫通穴を有し、対象物背面側へ頭が出っぱらないよう、平皿の木ネジで装着面(Wall)に取り付けられています。装着面へ取り付ける木ネジの引き抜き強度で部品Ｉの耐荷重量が決まります。
【００２６】
部品Ｏの傾斜面OP1・OP2は、部品Ｉの傾斜面IP1・IP2と接触して支持され機能します。取付面に投影されたOP・IPの傾斜面が水平面となす角度は、θ1＝θ2＝４５度です。また取付面と水平面に直角な断面が水平面となす角度は、 θ3＝３０度です。
これらの角度は、対象物(Obj) の重心位置と壁掛装置を結んだ線と水平面がなす角度や、壁掛装置以外の接触部分の位置などから求められますが、大きくした方が安定しますし、抜け留め部分Ｌはθ3 を小さくすることを可能にしますので、開示した角度は指定値ではなく参考値です。
【００２７】
部品Ｉの最上部にある抜け留め機能部分Ｌは、部品Ｏと対象物(Obj) 背面との間の隙間に入り込み機能します。部品Ｏ側に嵌合する構造は特別に設けておりませんので、部品ＯはＬ部分がない部品Ｉにも適合します。
【００２８】
[図１]・[図２]を見ながら装着手順を説明します。
装着面(Wall)の装着位置へ壁掛機能部品Ｉを頭が平皿の木ネジ一本で、傾斜面(IP1,2) が頂点から左右と後方へ傾斜するよう、また突起部分Ｌが上部になるよう取り付けます。一箇所止めですので穴を中心に回転でき部品Ｉが曲がって取り付いた場合、対象物(Obj) を持って水平出しの調整をすることができます。
対象物(Obj) の背面上方中央部に壁掛機能部品Ｏを傾斜面(OP1,2) が下向きになるよう逆さＶ字形状に取り付けます。取り付けは位置を決めた部品Ｏの二つのタブを木ネジ二本で固定します。対象物(Obj) の背面には部品Ｏの両端から面が連続するよう、案内部品Ｇ二本を両側に傾斜させて両面粘着テープで貼り付けます。さらに対象物の背面下方両端にスペーサ機能部品Ｓ二本を、両面粘着テープで貼り付けます。
【００２９】
スペーサ機能部品Ｓは、装着面(Wall)側に貼り付けた方が装着のとき邪魔にならず、装着位置の目安になり好ましいのですが、対象物(Obj) を外して装着面に残ったときや、別の寸法が異なる対象物を装着するとき外して貼りなおすことを考えると、対象物にある方が望ましいので、最良の形態では対象物に貼り付ける提示をしました。
【００３０】
部品類を取り付けた後は、対象物(Obj) を前面から両手で持って部品Ｉの突起部分Ｌの上端が案内部品Ｇと接触する位置に持ち上げ、部品Ｇの傾斜に沿って逆らわないで移動させると、部品Ｏの傾斜面(OP)と接触し、最終位置である部品Ｏと対象物背面との隙間に入り、傾斜面(OP)と(IP)が接触して壁掛として機能します。突起部分Ｌの上端と案内部品Ｇとの接触位置は広い範囲にあるので、その部分を見ないで接触させることは容易です。
外すときは対象物(Obj) を前面から両手で持って、上方が手前に来るように力をかけて少し持ち上げると、突起部分Ｌが傾斜面(OP)に乗りますので、傾斜に逆らって斜め上方に移動させると外せます。
【実施例１】
【００３１】
[図３]・[図４]は、[図１]の構成の部品Ｏを部品Ｉとして用いた構成です。
[図４−１]は対象物(Obj) 背面に付く壁掛装置構成部品を破線であらわし、装着面(Wall)に付く構成部品を実線であらわした、構成部品配置の実施例の一つを正面から見た図で、装着対象物(Obj) に取り付けられた機能部品Ｏを矢印の方向に移動させて、装着面(Wall)に取り付けられた壁掛機能部品Ｉと接触させて対象物(Obj) を装着しようとしています。
また[図４−２]は[図４−１]の部品Ｏと部品Ｉをそれぞれ中央部で切断した側断面図で、部品Ｇは省略し、矢印は移動方向を示しています。
[図３]は[図４]の構成部品ＯとＩを説明用に抜き出した拡大図です。
[図３−１]は、二箇所に取り付けタブがある機能部品Ｉと、抜け留め機能の部分Ｌが下端にあり略中央部分一箇所で取り付けられる部品Ｏとを正面から見た装着するときの図で、OP1とIP1、OP2とIP2がそれぞれ接触して壁掛として機能します。
また[図３−２]は[図３−１]の部品Ｏと部品Ｉをそれぞれ中央で取付面と水平面に直角に切断した側断面図です。
【００３２】
部品Ｉは樹脂材料ででき、部品Ｏと面接触して支持する略Ｖ字形状をした傾斜面IP1,2 と、装着面(Wall)に取り付けるための二つのタブがあり、木ネジで装着面(Wall)の対象物装着位置へ傾斜面IP1,2 が上向きになるように固定されています。タブを装着面へ固定する木ネジの引き抜き強度で耐荷重量が決まります。
機能部品Ｉが曲がって取り付けられた場合、機能部品Ｏの固定が一箇所でないと傾き調整ができません。機能部品Ｏがすでに対象物背面に形成されていたり、面固定などの場合、二つのタブの一方を装着面(Wall)に仮固定して対象物(Obj) を装着し、傾き調整をした後対象物を外した位置で二つのタブを固定して傾き調整をすることができます。
部品Ｏも同じ樹脂材料で、図では略三角形状をしており、部品Ｉと接触して支持される傾斜面OP1,2 、最下部になるよう対象物背面に取り付けられ、部品Ｉと装着面(Wall)との隙間に入る抜け留め機能部分Ｌ、対象物背面への固定手段用として一つの貫通穴を有し、装着面側へ頭が出っぱらないよう平皿の木ネジで対象物(Obj) に取り付けられています。対象物背面へ取り付ける木ネジの引き抜き強度で部品Ｏの耐荷重量が決まります。
部品Ｏの形状は、部品Ｉと接触する傾斜面OP1,2 の二面が必要なのであって、他の部分の形状は重要ではありません。三角形、ひし形、五角形、Ｖ字形、Ｍ字形、などさまざまにデザインできます。部品Ｏの部品Ｉと接触する傾斜面は、いつも下方になっています。
【００３３】
部品Ｏの傾斜面OP1・OP2は、部品Ｉの傾斜面IP1・IP2と接触して支持され機能します。取付面に投影されたOP・IPの傾斜面が水平面となす角度は、θ1＝θ2＝４５度です。また取付面と水平面に直角な断面が水平面となす角度は、 θ3＝３０度です。これらの角度は前述同様、指定値ではなく参考値です。
【００３４】
部品Ｏの最下部にある抜け留め機能部分Ｌは、部品Ｉと装着面(Wall)との間の隙間に入り込み機能します。部品Ｉ側に嵌合する構造は特別に設けておりませんので、部品ＩはＬ部分がない部品Ｏにも適合します。
【００３５】
装着の手順は、最良の形態での説明に準じます。
【産業上の利用可能性】
【００３６】
従来の壁掛装置は装着対象物の裏で前面から見えない位置に取り付けられ、作業しにくい状態で対象物を装着していました。本考案の壁掛装置は同じく対象物の裏に取り付けられますが、壁掛装置部分を見なくても容易に着脱できますので、不自由なところがある方にも健康な方にも便利に利用していただけるものと思います。
床や畳に置かないで、壁面や柱に装着したい対象物は家庭内にも数多くあります。着脱しやすい壁掛装置は頻繁な着脱を可能にしますので、一時的にしろ定期的にしろ、多くの対象物が壁面や柱に装着される可能性があります。また、これまで素人には困難であったエアコンや壁掛テレビなど重量のあるものの装着も、本考案の壁掛装置は容易にします。
【図面の簡単な説明】
【００３７】
【図１】本考案の壁掛装置構成部品で対象物を装着面に装着する図[１]  対象物背面に付く構成部品を破線で、装着面に付く部品を実線で、正面から見た図[２]  部品Ｏと部品Ｉを部品真中で垂直に切断した側断面図
【図２】本考案の請求項１記載の構成部品を組み合わせた図[１]  部品Ｏと部品Ｉを正面から見た装着するときの図[２]  部品をそれぞれ真中から垂直に切断した装着するときの側断面図
【図３】図２の部品Ｏを部品Ｉに用いて構成部品を組み合わせた図[１]  部品Ｏと部品Ｉを正面から見た装着するときの図[２]  部品をそれぞれ真中から垂直に切断した装着するときの側断面図
【図４】図１の部品Ｏを部品Ｉに用いた構成部品で対象物を装着面に装着する図[１]  対象物背面に付く構成部品を破線で、装着面に付く部品を実線で、正面から見た図[２]  部品Ｏと部品Ｉを部品真中で垂直に切断した側断面図
【符号の説明】
【００３８】
Ｏ：装着対象物背面にある壁掛機能部品
Ｉ：装着面に取り付けられる壁掛機能部品
Ｌ：機能部品ＯかＩの先端にある抜け留め機能部分
Ｇ：相手部品まで接触部分を案内する機能部品
Ｓ：スペーサ機能部品
OP1,OP2：壁掛機能部品Ｏにある傾斜面
IP1,IP2：壁掛機能部品Ｉにある傾斜面
θ1,θ2：取付面に投影された傾斜面の水平面となす角度
θ3：取付面と水平面に直角に切断された傾斜面の水平面となす角度
Obj：装着される対象物
Wall：壁や柱など装着面
【図１】
0003107611.tif 000003
【図２】
0003107611.tif 000004
【図３】
0003107611.tif 000005
【図４】
0003107611.tif 000006
【手続補正書】
【提出日】平成16年10月18日(2004.10.18)
【手続補正１】
【補正対象書類名】実用新案登録請求の範囲
【補正対象項目名】請求項１
【補正方法】変更
【補正の内容】
【請求項１】
壁や柱などの装着面に置かれる額縁や掛時計など（対象物）を装着保持する壁掛装置において、前記対象物の背面にあり水平面に対して傾斜して形成されている面または複数の部分を有する機能部品Ｏと、部品Ｏの前記傾斜面と接触する面で部品Ｏを支持する支持面または複数の部分を有し前記装着面に取り付けられる機能部品Ｉと、相手部品と部品を取り付ける面との隙間Ｃに入り抜け留め機能をする突起部分Ｌと、で構成される壁掛装置。
【手続補正２】
【補正対象書類名】実用新案登録請求の範囲
【補正対象項目名】請求項４
【補正方法】変更
【補正の内容】
【請求項４】
請求項１記載の機能部品Ｉの傾斜面と接触して支持される傾斜面または複数の部分と、前記突起部分Ｌが入ることができる隙間Ｃが背面に形成されている装着対象物。
【手続補正３】
【補正対象書類名】明細書
【補正対象項目名】０００４
【補正方法】変更
【補正の内容】
【０００４】
額縁やボードなど多少重量がある装着対象物は、先端が水平面より上方に向いた略Ｌ字や略Ｊ字状のフックなどの機能部品Ｉを釘やピンや木ネジで装着面に取り付け、対象物に取り付けた紐や鎖などの機能部品Ｏを機能部品Ｉに掛けることにより一点支持で装着されています。粘着や吸着を利用して部品Ｉを装着面へ固定することは、固着強度のバラツキが大きく、破壊してみないと固着強度はわからないため、落下しては困る対象物にはほとんど採用されていません。
見栄えなどから、前面から見えない対象物の裏側で機能部品Ｉに機能部品Ｏを掛ける装着方法が、額縁や展示品などの場合一般に行われています。部品Ｉは前面から見えない位置で装着面に固定されているか、展示会場などで装着対象物がよく入れ替えられる場合には専用に設置されたカーテンレールなどから吊り下げられています。
紐や鎖はフレキシブルなために装着対象物を両手で持って着脱することができません。紐や鎖の掛ける部分を指で持って見ながら着脱する必要があり、さらに装着後は対象物の傾きなど調整が必要になります。また地震など外部からの力で動きやすく、展示会場では対象物に取り付けられた紐や鎖を装着面に直接固定するなどしています。
【手続補正４】
【補正対象書類名】明細書
【補正対象項目名】０００６
【補正方法】変更
【補正の内容】
【０００６】
特に複数個の壁掛装置で前記対象物を装着する場合、壁掛機能部品Ｉの装着面上の位置決めが重要な作業になります。後から調整ができない場合はなおさらです。対象物の方に機能部品Ｉと取り付けるピンを仮固定して、対象物を持って装着面へ直接押し込むことができる構造の壁掛装置があります。手で押し込むので保持強度は期待できませんが、こうすれば対象物装着後の調整は必要ありません。
[特許文献５]は、抜け留め突出縁部と落下しないよう突出縁部にピン軸支持用突部を設けてピンを仮固定します。[特許文献６]は、磁石と掛け爪を併用して画鋲を仮固定します。構造は違いますが、本考案でも壁掛部品Ｉの取付穴にピンを仮設置して部品Ｏと部品Ｉを仮固定し、装着面上の最適位置に押し込むことも、傷をつけその位置にビス留めすることもできまし、装着後必要であれば傾き調整することもできます。
[特許文献７]は、後方へ下降する傾斜面と、穴と、穴と嵌合して安定保持する固定片とで構成される壁掛装置です。嵌合すると着脱が容易ではなくなります。本考案の突起部分Ｌは、相手機能部品の隙間Ｃにある、取付面と対向する端面の一部とのみ接触して抜け留め機能をするもので、嵌合とは違います。
[特許文献８]は、左右対称で上から下へ末広がりに傾斜し、かつアリ溝の嵌め合い構造で嵌合して安定保持する壁掛装置です。アリ溝でも平行溝でも、嵌め合いは着脱を困難にします。本考案では、突起部分Ｌが相手部品の端面と接触して抜け留め機能をしますので、アリ溝の形状があり傾斜面が接触しても、取付面と平行な方の面は接触せず、接触しても面を押し付ける抗力を発生させず、嵌合とは違いますので着脱を困難にしません。
[特許文献９]は取付面と傾斜面とでアリ溝を形成していますが、前記文献同様、アリ溝の嵌め合い構造で嵌合して安定保持する壁掛装置です。アリ溝で円弧状の接触する縁部は、装着後の傾き修正を容易にします。
上記両文献とも、入口が狭いアリ溝の接触する縁部が抜け留め機能をしており、本考案では突起部分Ｌが同機能をしますので、アリ溝はなくても壁掛け機能をします。傾斜角度が深くて着脱の障害になるアリ溝の形状は、本考案の目的とは異なります。
本考案でアリ溝と同じ方向の傾斜面になっているのは、装着時に斜面に沿って感触で最終装着位置へたどり着くためで、抜け留めではなく着脱を容易にするのが目的です。
【手続補正５】
【補正対象書類名】明細書
【補正対象項目名】０００７
【補正方法】変更
【補正の内容】
【０００７】
本考案に関係すると考えられ参照した特許文献
【特許文献１】ドイツ特許公開ＤＥ３６３２８１９号：「Halterung,insbesondere Bilderhalterung」  逆さ台形状の突出平板の端面三辺中央に溝がある金具Ｏと、同じ逆さ台形状で前記溝と嵌合するよう取付面と平行に内側に薄板を折り曲げた金具Ｉと、二つの構成部品からなる壁掛装置
【特許文献２】フランス特許公開ＦＲ２４２２３６９号：「Dispositif de fixation pour miroirs, tableaux, ou analogues」  薄い二段の平板金具Ｉ、Ｕ字折り曲げ金具で切り欠き部に挿入しやすくするための開きテーパが下方にある金具Ｏ、の二つの構成部品からなる壁掛装置
【特許文献３】U.S.Pat.2,530,892号公報：「Picture hanger」  段形状に折り曲げた金具Ｍと、嵌合する貫通角穴の金具Ｆの二つの構成部品からなり、金具Ｍの一端をＦの角穴へ差し込んで壁掛として機能する絵ハンガーで、調整機能はない
【特許文献４】ＷＯ０１／０３４００１号公報：「壁掛装置」軸方向に離隔した２つの平行面のそれぞれに内嵌する調整できる円弧状の接触面を有する共平面部材を備える壁掛装置
【特許文献５】特開２０００−２７６０８５号公報：「吊り下げ部を備えた吊り下げ物の構造」  吊り下げ物の背面下方及び背方に開口する溝部と突出縁部を設け、押しピン頭部の一部を入れて支持し、さらにピン軸が下方に落下しないよう軸支持用突部を突出した構造
【特許文献６】特開平１０−１５１０６１号公報：「壁面装着具」  磁石と掛け爪を併用して壁面に貼付した金属画鋲状のピンに固定する壁面装着具
【特許文献７】特開２００３−２１０３０９：「壁等取付け部材」  棚板の奥の嵌合穴がある取付片下端と、穴に嵌め合う固定片がある重量を支える支持片の上縁とは後方へ下降する傾斜面になっており、穴と固定片の嵌合と斜面の接触で保持。
【特許文献８】実開平３−１１８６６：「壁掛装置」  左右対称で上から下へ末広がりに傾斜し、かつアリ溝になっている機能部品Ｏと、嵌め合い構造の壁面に取り付く機能部品Ｉとで構成され、嵌合して安定保持する壁掛装置。
【特許文献９】特開平６−１１３９３９：「物品係止装置」  切欠部の端縁に取付面側へ下向き傾斜または円弧状となる支持縁を設けた機能部品Ｉ、切欠部の外形状に形成した相応する取付部の端縁に前記支持縁に係合する同一向きの傾斜または円弧状となる係止縁を設けた機能部品Ｏとで構成される壁掛装置。
【手続補正６】
【補正対象書類名】明細書
【補正対象項目名】００１５
【補正方法】変更
【補正の内容】
【００１５】
対象物の重量を傾斜面で支持する場合、接触面積や接触圧力や角度など支持機能に関係する要因が複雑になりますが、一方で装着は傾斜面上のどこかにあたれば機能する位置に導かれ、傾斜に逆らって滑らせれば外せますので、壁掛機能部品の接触部分を見なくても対象物が容易に着脱できます。
また紐や鎖は対象物の背面に取り付けられ、重心位置は厚みの略中央部にありますので、上辺で対象物を吊り下げた場合、対象物は傾いて下辺が装着面と接触し上辺が装着面から離れることを体験されると思います。
この現象は対象物の重心が吊り下げ部真下にこようとする分力があるために起こり、逆に接触位置を決めれば傾斜角度が決まりますので、この方向と大きさの力を支持できる傾斜面を持つ機能部品Ｉと組み合わせれば、対象物を面で装着保持できることになります。
対象物と部品Ｏとの傾斜面角度設定で重力荷重の支持と抜け留め機能をさせられますが、正確な角度でないと接触面に均一に荷重がかからず、浮きや部分的圧力差など不安定要因ができます。安定した装着保持のためには、着脱の妨げにならない抜け留め機構を設けることが有効です。
【手続補正７】
【補正対象書類名】明細書
【補正対象項目名】００１６
【補正方法】変更
【補正の内容】
【００１６】
抜け留め機能の突起部分Ｌは、取り付けた状態で部品Ｉの最上端か部品Ｏの最下端にあり、相手部品と部品取付面との隙間Ｃに入り抜け留め機能をします。水平面に対して直角が望ましい角度ですが、少なくとも機能部品にある傾斜面より水平面に対して大きい角度であることが必要です。装着状態では突起部分Ｌの上下左右の端面部がどこにも接触しないようにすることで、嵌合とは異なり装着が容易になります。
この突起部分Ｌは、相手部品の隙間Ｃ内にある取付面と対向する端面に接触して抜け留めになります。機能部品の最先端にあるので、装着時にＬ部分の先端が相手部品の傾斜面上に接触しても接触部分の面積が小さいので小さな摺動抵抗で傾斜面に沿って動かせます。
抜け留めの突起部分Ｌが機能する位置は、傾斜面に沿って滑り落ちた最終位置なので、位置を合わせて嵌入する必要がなく、また外すときも対象物上部が装着面から離れるよう斜め前方へ少し持ち上げれば斜面に乗り、傾斜に逆らって滑らせて外せますので、先端に突出しているにもかかわらず着脱の妨げになりません。
装着面から対象物の重心位置が離れていても、高さ寸法が短く装着状態で突き出た形状の対象物でも、突起部分Ｌがあれば機能部品の傾斜角度が小さくても対象物を抜け留め保持し、かつ着脱は容易にできます。
【手続補正８】
【補正対象書類名】明細書
【補正対象項目名】００１９
【補正方法】変更
【補正の内容】
【００１９】
請求項３では、壁や柱などの装着面に取り付けられる機能部品Ｉは、前記装着面に一箇所だけの固定で取り付けられます。これにより固定点を中心に対象物を回転させることができますので、装着後に対象物を見ながら前面から水平調整ができます。
請求項４は、対象物の背面に部品Ｏを取り付けるよりも樹脂成形などで形成された方が取り付け手段や取り付け工数が不要なので、部品Ｉの傾斜面と接触して支持される傾斜面または接触する複数の部分と前記突起部分Ｌが入ることができる隙間Ｃが、装着対象物の背面に形成されている形状です。対象物の生産や検査工程で一時的に掛けたり、対象物を簡易移動するときにも利用できます。
【手続補正９】
【補正対象書類名】明細書
【補正対象項目名】００２５
【補正方法】変更
【補正の内容】
【００２５】
部品Ｏは樹脂材料ででき、部品Ｉと接触して支持される略Ｖ字形状をした傾斜面OP1,2 と、装着対象物(Obj) 背面に取り付けるために二つのタブと、間に突起Ｌが入る隙間Ｃがあり、木ネジで対象物(Obj) 背面上部へ傾斜面OP1,2 が下向きになるように固定されています。材質は衝撃荷重で破損しなければなんでもよいのですが、特殊な角度に加工しますので望ましいのは樹脂です。対象物背面にタブを固定する木ネジの引き抜き強度で部品Ｏの耐荷重量が決まります。
対象物(Obj) 背面に直接傾斜面OP1,2 が下向きに形成され部品Ｉにある突起Ｌが入る隙間Ｃがあれば、取付タブと木ネジと取り付け作業が不要で、コストダウンになります。
部品Ｉも同じ樹脂材料ででき、図では略ひし形形状をしており、部品Ｏと接触して支持する傾斜面IP1,2 、最上部になるよう取り付けられ部品Ｏと対象物(Obj) との隙間Ｃに入る抜け留め機能部分Ｌ、装着面への固定手段用として一つの貫通穴を有し、対象物背面側へ頭が出っぱらないよう、平皿の木ネジで装着面(Wall)に取り付けられています。装着面へ取り付ける木ネジの引き抜き強度で部品Ｉの耐荷重量が決まります。
【手続補正１０】
【補正対象書類名】明細書
【補正対象項目名】００２７
【補正方法】変更
【補正の内容】
【００２７】
部品Ｉの最上部にある抜け留め機能部分Ｌは、部品Ｏと対象物(Obj) 背面との間の隙間Ｃに入り込み機能します。隙間Ｃは傾斜面の交点の取付面側にあり、突起部分Ｌの断面積より大きい切り欠き状であれば上下左右の端面が接触する嵌合の必要はありませんので、部品ＯはＬ部分がない部品Ｉにも適合できます。隙間Ｃが仮に嵌合寸法であっても、傾斜面が嵌合位置まで導いてくれますので、隙間Ｃの部分を見なくても装着できます。
【手続補正１１】
【補正対象書類名】明細書
【補正対象項目名】００３２
【補正方法】変更
【補正の内容】
【００３２】
部品Ｉは樹脂材料ででき、部品Ｏと面接触して支持する略Ｖ字形状をした傾斜面IP1,2 と、装着面(Wall)に取り付けるための二つのタブと、タブの間に突起Ｌが入る隙間Ｃがあり、木ネジで装着面(Wall)の対象物装着位置へ傾斜面IP1,2 が上向きになるように固定されています。タブを装着面へ固定する木ネジの引き抜き強度で耐荷重量が決まります。
機能部品Ｉが曲がって取り付けられた場合、機能部品Ｏの固定が一箇所でないと傾き調整ができません。機能部品Ｏがすでに対象物背面に形成されていたり、面固定などの場合、二つのタブの一方を装着面(Wall)に仮固定して対象物(Obj) を装着し、傾き調整をした後対象物を外した位置で二つのタブを固定して傾き調整をすることができます。
部品Ｏも同じ樹脂材料で、図では略三角形状をしており、部品Ｉと接触して支持される傾斜面OP1,2 、最下部になるよう対象物背面に取り付けられ、部品Ｉと装着面(Wall)との隙間に入る抜け留め機能部分Ｌ、対象物背面への固定手段用として一つの貫通穴を有し、装着面側へ頭が出っぱらないよう平皿の木ネジで対象物(Obj) に取り付けられています。対象物背面へ取り付ける木ネジの引き抜き強度で部品Ｏの耐荷重量が決まります。
部品Ｏの形状は、部品Ｉと接触する傾斜面OP1,2 の二面が必要なのであって、他の部分の形状は重要ではありません。三角形、ひし形、五角形、Ｖ字形、Ｍ字形、などさまざまにデザインできます。部品Ｏの部品Ｉと接触する傾斜面は、いつも下方になっています。
【手続補正１２】
【補正対象書類名】明細書
【補正対象項目名】００３４
【補正方法】変更
【補正の内容】
【００３４】
部品Ｏの最下部にある抜け留め機能部分Ｌは、部品Ｉと装着面(Wall)との間の隙間Ｃに入り込み抜け留め機能をします。隙間Ｃに嵌合する構造ではありませんので、機能部品Ｉは部分Ｌがない機能部品Ｏにも適合します。
【手続補正１３】
【補正対象書類名】明細書
【補正対象項目名】００３８
【補正方法】変更
【補正の内容】
【００３８】
Ｏ：装着対象物背面にある壁掛機能部品
Ｉ：装着面に取り付けられる壁掛機能部品
Ｌ：機能部品ＯかＩの先端にある抜け留め機能部分
Ｃ：部品取付面との隙間
Ｇ：相手部品まで接触部分を案内する機能部品
Ｓ：スペーサ機能部品
OP1,OP2：壁掛機能部品Ｏにある傾斜面
IP1,IP2：壁掛機能部品Ｉにある傾斜面
θ1,θ2：取付面に投影された傾斜面の水平面となす角度
θ3：取付面と水平面に直角に切断された傾斜面の水平面となす角度
Obj：装着される対象物
Wall：壁や柱など装着面
【手続補正１４】
【補正対象書類名】図面
【補正対象項目名】全図
【補正方法】変更
【補正の内容】
【図１】
0003107611.tif 000007
【図２】
0003107611.tif 000008
【図３】
0003107611.tif 000009
【図４】
0003107611.tif 000010